(57)【要約】【課題】確実かつ適切に凝集剤の添加率を制御可能な浄水場の汚濁物質処理方法を提供する。【解決手段】浄水場３０において取水した原水に対して凝集剤３を添加し、前記原水中の汚濁物質をフロック化させ、形成したフロックを分離することにより前記汚濁物質を前記原水中から除去する浄水場の汚濁物質処理方法であって、前記フロックを分離した後に得られる処理水中の残留凝集剤主成分濃度と、形成された前記フロックのフロック粒径分布と、を測定し、測定された前記残留凝集剤主成分濃度と前記フロック粒径分布とに基づいて、前記フロックのフロック密度を算出し、該フロック密度と予め設定された所定フロック密度との大小関係に応じて、前記原水への前記凝集剤の添加率を制御する浄水場の汚濁物質処理方法。【選択図】図１
2012223690.tif 000002
【特許請求の範囲】
【請求項１】
浄水場において取水した原水に対して凝集剤を添加し、前記原水中の汚濁物質をフロック化させ、形成したフロックを分離することにより前記汚濁物質を前記原水中から除去する浄水場の汚濁物質処理方法であって、
前記フロックを分離した後に得られる処理水中の残留凝集剤主成分濃度と、
形成された前記フロックのフロック粒径分布と、
を測定し、
測定された前記残留凝集剤主成分濃度と前記フロック粒径分布とに基づいて、前記フロックのフロック密度を算出し、
該フロック密度と予め設定された所定フロック密度との大小関係に応じて、前記原水への前記凝集剤の添加率を制御する
ことを特徴とする、浄水場の汚濁物質処理方法。
【請求項２】
前記制御において、
前記フロック密度が前記所定フロック密度よりも大きい場合には、前記凝集剤の添加率を減少させ、
前記フロック密度が前記所定フロック密度よりも小さい場合には、前記凝集剤の添加率を増加させる
ことを特徴とする、請求項１に記載の浄水場の汚濁物質処理方法。
【請求項３】
浄水場において取水した原水に対して凝集剤を添加し、前記原水中の汚濁物質をフロック化させ、形成したフロックを分離することにより前記汚濁物質を前記原水中から除去する浄水場の汚濁物質処理方法であって、
前記フロックを分離した後に得られる処理水中の残留凝集剤主成分濃度を測定し、
該残留凝集剤主成分濃度と、前記原水に対して添加された前記凝集剤の添加率と、
に基づいて、前記処理水に残留する凝集剤の主成分についての凝集剤主成分残留率を算出し、
該凝集剤主成分残留率と予め設定された所定凝集剤主成分残留率との大小関係に応じて、前記原水への前記凝集剤の添加率を制御する
ことを特徴とする、浄水場の汚濁物質処理方法。
【請求項４】
前記制御において、
前記凝集剤主成分残留率が前記所定凝集剤主成分残留率よりも大きい場合には、前記凝集剤の添加率を増加させ、
前記凝集剤主成分残留率が前記所定凝集剤主成分残留率よりも小さい場合には、前記凝集剤の添加率を減少させる
ことを特徴とする、請求項３に記載の浄水場の汚濁物質処理方法。
【発明の詳細な説明】
【技術分野】
【０００１】
本発明は、浄水場の汚濁物質処理方法に関する。
【背景技術】
【０００２】
浄水場においては、取水した原水に含まれる汚濁物質（濁質）を除去するために、原水に凝集剤を添加（混合）し、フロックとして当該汚濁物質分を原水から除去することが広く行われている。具体的には、取水した原水に対して凝集剤を添加して汚濁物質を含むフロックを形成させ、形成したフロックを沈降分離することで汚濁物質を原水中から除去することができる。そして、この操作の後、沈降しなかった微細なフロック（微細フロック）を含有する処理水は濾過池に供されて濾過等が行われ、清澄な清浄水が得られるようになっている。このような技術のより具体的な方法は、例えば特許文献１に記載されている。
【０００３】
前記した凝集剤による沈降分離技術を用いる場合、通常は、原水に添加する凝集剤の添加率の設定が重要な操作因子となる。そのため、凝集剤の添加率を制御するために、通常は、原水の水質（例えば濁度、アルカリ度、ｐＨ等）の測定結果から予め設定した凝集剤添加モデル式に従って凝集剤添加率を算出する。そして、算出された添加率の凝集剤が添加される、所謂フィードフォワード方式が採用されている。このような技術は、例えば特許文献２に記載されている。
【０００４】
また、前記技術に関連して、形成したフロックの凝集の良否を判断するためにフロックを含む処理水の透過光強度を測定して、測定された透過光強度に基づいて凝集剤添加を行う技術もある（例えば特許文献３参照。）。さらに、フロックを除去した後の処理水中の凝集剤濃度を測定し、測定された凝集剤濃度に基づいて凝集剤添加を行う技術もある（例えば特許文献４参照。）。
【先行技術文献】
【特許文献】
【０００５】
【特許文献１】特開平４−３５７０２号公報
【特許文献２】特開平５−１４６６０８号公報
【特許文献３】特開２００２−５８１４号公報
【特許文献４】特開２００８−１６１８０９号公報
【発明の概要】
【発明が解決しようとする課題】
【０００６】
しかしながら、前記技術には、以下のような課題がある。
具体的には、例えば特許文献１に記載の技術においては凝集剤の添加率を制御する際にフィードバック制御を行っているため、凝集剤の添加と沈降分離可能なフロック形成との間で長時間のタイムラグが生じることがある。そのため、フロックが形成されている途中で原水の濁度等に大きな変化があった場合、凝集剤の添加率を適切に制御することができないことがある。
【０００７】
即ち、特許文献１に記載の技術においては、沈殿池出口の沈殿水濁度の測定結果に基づいて凝集剤の添加率を制御している。しかし、凝集剤添加の良否の結果が処理水濁度として判明するまで、フロックの沈殿プロセスの滞留時間を考慮して通常は約３〜４時間要するため、時間遅れが大きくなることがある。そのため、処理水濁度の測定結果にのみ基づいて凝集剤添加率を適切に制御することは困難である。
【０００８】
また、例えば特許文献２に記載の技術においては、前記のように特許文献１に記載の技術と異なりフィードフォワード制御を行っている。しかしながら、原水の水質が予測不可能な程度にまで変動した場合（例えば、台風や大雨等によって原水の濁度が著しく上昇する場合等）、従来の凝集剤添加モデル式を適用することができないことがある。このような場合に算出される凝集剤添加率は信頼性に欠けるものとなる。そのため、このようにして算出された添加率に基づいて凝集剤を添加しても、凝集不良を誘引して沈降性の良いフロックを形成させることが困難となり、沈殿池でフロックの沈降分離が行えないことがある。
【０００９】
その結果、通常沈殿池でフロックを沈降分離した後に供される濾過池において、フロックを多量に含む処理水が濾過されるため濾過池への負荷が過大なものとなることがある。具体的には、濾過池における濾過層の閉塞が早期に進行し、濾過閉塞を解消するための逆流洗浄操作等を頻繁に行う必要が生じることがある。
【００１０】
そのため、このようなフィードフォワード制御を行う場合には、濾過層の閉塞を可能な限り減らすために通常は過剰量の凝集剤を添加している。しかし、このような過剰量の凝集剤の添加によって、処理コストが増大することがある。また、過剰量の凝集剤の添加によって、発生する汚泥が増大するため、汚泥の脱水等の後処理工程への負荷が増大したり、処理コストがやはり増大したりすることがある。
【００１１】
また、例えば特許文献３に記載の技術においては、前記のようにフロックを含む処理水の透過光強度を測定して添加率制御に利用しているが、この方法ではフロックの沈降特性（沈降のし易さ）を必ずしも適切に評価することができない。そのため、この技術に拠っては、凝集剤の添加率の制御を確実かつ適切に行うことができない場合がある。
【００１２】
また、例えば特許文献４に記載の技術においては、前記のように処理水中の残留凝集剤主成分濃度を測定しているが、処理水中の残留凝集剤主成分濃度によっては、やはり適切な凝集剤添加率の制御を行うことができないことがある。
【００１３】
本発明は前記の実情に鑑みて為されたものであり、その目的は、確実かつ適切に凝集剤の添加率を制御可能な浄水場の汚濁物質処理方法を提供することにある。
【課題を解決するための手段】
【００１４】
本発明者らは前記課題を解決するべく鋭意検討した結果、形成したフロックのフロック密度、若しくは、処理水中の凝集剤主成分の残留率（凝集剤主成分残留率）を指標として凝集剤の添加率を制御することにより前記課題を解決できることを見出し、本発明を完成させた。
【発明の効果】
【００１５】
本発明によれば、確実かつ適切に凝集剤の添加率を制御可能な浄水場の汚濁物質処理方法を提供することができる。
【図面の簡単な説明】
【００１６】
【図１】第１実施形態に係る汚濁物質処理方法を適用可能な浄水場の構成を模式的に示す図である。
【図２】原水に対する凝集剤の添加率と、フロックを除去した後に得られる処理水中の残留凝集剤主成分濃度と、の関係を示すグラフである。
【図３】凝集剤を添加後の処理水における、当該処理水中に含まれるフロックのフロック密度と、当該処理水からフロックを除去した後の処理水濁度と、の関係を示すグラフである。
【図４】第２実施形態に係る汚濁物質処理方法を適用可能な浄水場の構成を模式的に示す図である。
【図５】原水に対する凝集剤の添加率と、フロックを除去した後に得られる処理水中の凝集剤主成分残留率と、の関係を示すグラフである。
【発明を実施するための形態】
【００１７】
以下、本発明を実施するための形態（本実施形態）を、図面を参照しながら２つの実施形態を挙げて具体的に説明する。ただし、本発明は以下の内容に限定されるものではなく、本発明の要旨を損なわない範囲で任意に変更して実施可能である。
【００１８】
［１．第１実施形態に係る汚濁物質処理方法］
第１実施形態に係る汚濁物質処理方法を、図１に示す浄水場（以下、適宜「第１実施形態に係る浄水場」又は「浄水場３０」という。）に適用する場合を例に説明する。以下の浄水場３０に関する説明においては、主に、水の流れ（原水から処理水を経て清浄水に至るまでの水の流れ）に沿って説明する。
【００１９】
〔浄水場３０の概略構成〕
図１に示すように、浄水場３０は、主に、着水井１と、急速混和池２と、フロック形成池６と、沈殿池８と、濾過装置９と、を有している。なお、図１中、実線は配管（導水管）及び当該配管を流れる水の流れ方向、破線は電気信号線を表している。
【００２０】
着水井１は、河川、湖沼等から取水された原水が、図示しない沈砂池において粒径の大きな砂等が沈降除去された後、はじめに供給される設備である。河川、湖沼等と沈砂池と、及び、沈砂池と着水井１とは、それぞれ図示しない導水管によって接続されている。また、着水井１は、流量計２３（後記する。）を介して、後記する急速混和池２と配管によって接続されている。
【００２１】
急速混和池２は、着水井１からの原水に対して凝集剤３（後記する。）が添加される設備（池）である。急速混和池２にはモータＭにより駆動される攪拌翼２ａが備えられ、攪拌翼２ａにより、原水と凝集剤３とが十分に混合されるようになっている。そして、原水と凝集剤３とが十分に混合されることにより、原水中の汚濁物質が凝集して微細なフロックが形成されるようになっている。なお、本明細書において「微細なフロック」とは、粒径が１０μｍ未満のフロックを表すものとする。また、このような微細なフロックを、適宜「マイクロフロック」と呼称するものとする。
【００２２】
急速混和池２の大きさや深さは特に制限されず、例えば、着水井１からの原水がおよそ２〜３分滞留する程度の大きさや深さとすることができる。
【００２３】
凝集剤３は、原水中の汚濁物質を凝集させるものである。凝集剤３は、詳細は後記するが、フロック粒径等によってその添加率が制御されるようになっている。凝集剤３としては、例えば硫酸バンド、ポリ塩化アルミニウム（ＰＡＣ）等のアルミニウム系凝集剤、塩化鉄（II）、ポリシリカ鉄〔（ＳｉＯ2）ｎ・（Ｆｅ2Ｏ3）〕〕等の鉄系凝集剤等が用いられるが、浄水場３０においてはＰＡＣが用いられている。
【００２４】
また、浄水場３０では、原水に凝集剤３を添加する前に、所定の条件を満たした場合に、汚濁物質の凝集を促進する凝集補助剤４を添加するようになっている。具体的には、浄水場３０で用いられる凝集剤３はＰＡＣであり、例えば原水のｐＨが酸性側であると汚濁物質の凝集が起きにくい。そのため、例えば水酸化ナトリウム、水酸化カリウム等の凝集補助剤４（アルカリ剤貯蔵タンク５に貯蔵されている。）を添加することで原水のｐＨをアルカリ性側に傾け、汚濁物質の凝集が起き易くしている。
【００２５】
そして急速混和池２において凝集剤３と混合された原水（処理水）は、形成された微細なフロックとともに配管を通って、フロック形成池６に供給される。
【００２６】
フロック形成池６は、急速混和池２において形成された微細なフロックをさらに成長（凝集）させ、より大きなフロック（粒径が１０μｍ以上）を形成させる設備である。フロック形成池６には、処理水を緩速攪拌するフロキュレータ（緩速攪拌装置）７が備えられている。形成するフロックの望ましい形態としては、フロック径（平均粒径）が大きく、しかも密度が大きく強固なものである。フロックをこのような形態にまで成長させることにより、後記する沈殿池８での沈降を速やかにし、上清におけるフロック残留量を極めて少なくすることができる。
【００２７】
フロック形成池６においては、急速混和池２からの処理水がフロキュレータ７によって緩速で攪拌されるようになっている。そして、このようにフロキュレータ７によって攪拌されることにより、処理水中のマイクロフロック同士の衝突が繰り返されて、マイクロフロックの成長が促進される。このようにしてマイクロフロックを成長させ、フロック形成池６においてより粒径の大きなフロックが形成されるようになっている。
【００２８】
フロキュレータ７の回転速度、大きさ等はフロック形成池６の大きさや深さ等によって決定すればよい。ただし、フロキュレータ７の回転速度や大きさ等によっては、形成されたフロックがフロキュレータ７の回転によって破壊されることがある。また、マイクロフロック同士の衝突を十分に行えず、十分大きなフロックの形成が行えないことがある。従って、これらの事情を鑑みて、フロキュレータ７の回転速度、大きさ等を決定することが好ましい。
【００２９】
そして、このようにして十分にフロックが形成された後、フロックを含む処理水が沈殿池８に供給される。
【００３０】
沈殿池８は、処理水中のフロックを沈殿させる設備である。具体的には、フロックを含む処理水が沈殿池８において所定時間以上（通常は３〜４時間程度）滞留することにより、当該フロックが沈殿するようになっている。なお、図１においては、沈殿池８において沈殿したフロックをフロック８ａとして示している。
【００３１】
また、沈殿池８においては前記のようにフロックが沈殿されるようになっているが、処理水中のマイクロフロックは通常は沈殿しない。そのため、マイクロフロックは、後記する濾過装置９にて除去されることになる。
【００３２】
沈殿池８の大きさや深さ、流速等は、フロックを十分に沈殿させることができる程度に適宜決定すればよい。ただし、流速が遅すぎる場合水処理の時間がかかりすぎる可能性があり、早過ぎる場合フロックを沈殿しきれない可能性がある。そのためフロックを十分に沈殿させることができる流速とすることが好ましい。
【００３３】
このようにしてフロックが除去された処理水は、その後、濾過装置９に供給される。
【００３４】
濾過装置９は、処理水中のマイクロフロックを除去する設備である。浄水場３０における濾過装置９においては、濾過砂９ａによってマイクロフロックが除去されるようになっている。ただし、濾過装置９の濾過の方法に特に制限は無く、例えば精密濾過膜（Microfiltration Membrane；ＭＦ膜）、限外濾過膜（Ultrafiltration Membrane；ＵＦ膜）等の膜を使用してもよい。
【００３５】
なお、濾過装置９においては、前記のようにマイクロフロックが除去されるようになっているが、沈殿池８で除去しきれなかったフロックも併せて除去されるようになっている。
【００３６】
そして、濾過砂９ａを通過してマイクロフロック等が除去され清浄な水（清浄水）となった後、清浄水は図示しない配水池に供給されるようになっている。そして、塩素殺菌、オゾン殺菌等を清浄水に対して行い、上水として最終的に需要端に供給される。
【００３７】
〔浄水場３０における添加率制御方法〕
以上、原水から処理水を経て清浄水に至るまでの水の流れに沿って、浄水場３０の構成を説明した。次に、凝集剤３の添加率を制御する方法を、図１〜図３を参照しながら説明する。なお、図１に示す演算器１６，１７，１８，１９，２２は、何れもＣＰＵ（Central Processing Unit）等により構成されている。
【００３８】
図１に示すように、フロック形成池６と沈殿池８とを接続する配管の途中には、分岐する配管が設けられている。この分岐した配管は、さらに分岐して分級手段１１及びフロック計測器１５に接続されている。
【００３９】
分級手段１１は、ポンプ１０を介して残留凝集剤主成分濃度測定装置１２に接続されている。そして、残留凝集剤主成分濃度測定装置１２は、電気信号線により演算器１６に接続されている。一方、フロック計測器１５は、電気信号線により演算器１６に接続されている。
【００４０】
分級手段１１は、処理水中のフロックを除去する設備である。即ち、分級手段１１においては、粒径が１０μｍ以上のフロックが除去されるように構成されている。分級手段１１を設けることにより、処理水中のフロックの凝集状態を早期に検出することができる。この点の詳細に関しては後記する。
【００４１】
分級手段１１としては、直系１０μｍの孔を有する液体サイクロン、沈降槽、回転フィルタ等を用いることができる。ただし、分級手段１１を設けないことも可能であり、そのような場合には沈殿池８にてフロック８ａを沈殿させた後の上清（即ち濾過装置９に供給される処理水）を採水すればよい。
【００４２】
残留凝集剤主成分濃度測定装置１２は、フロックが除去されたもののマイクロフロックが含まれる処理水中の凝集剤主成分濃度を測定する装置である。ここで、「凝集剤の主成分」とは、凝集剤を構成する金属原子を表す。具体的には、凝集剤３が例えばＰＡＣのようなアルミニウム系凝集剤である場合、主成分は溶解性アルミニウムとなるし、凝集剤３が例えば鉄系凝集剤である場合、主成分は溶解性鉄となる（これらの凝集剤の詳細は後記する）。
【００４３】
従って、浄水場３０においては凝集剤３としてＰＡＣを用いているため、残留凝集剤主成分濃度測定装置１２は処理水中の溶解性アルミニウム（例えばアルミニウムイオン等）濃度を測定する装置である。残留凝集剤主成分濃度測定装置１２の具体的な構成は特に制限されないが、所定の間隔で処理水を抽出し測定するようにしてもよいし、連続的に測定するようにしてもよい。
【００４４】
具体的な残留凝集剤主成分濃度測定装置１２としては、凝集剤３がＰＡＣ等のアルミニウム系凝集剤の場合、例えばイオンクロマトグラフ、フレームレス原子吸光度計、アルミノン法に基づく分光光度計等が挙げられる。これにより、処理水中の溶解性アルミニウム濃度が測定されるようになっている。
【００４５】
また、凝集剤３が硫酸バンド等の鉄系凝集剤である場合、例えばフェナントロリン法等による分光光度計が挙げられる。これにより、処理水中の溶解性鉄（例えば鉄イオン等）濃度が測定されるようになっている。
【００４６】
また、分級手段１１等と並列に設けられているフロック計測器１５は、処理水中のフロックの粒径を測定するものである。フロック計測器１５の具体例としては、例えば透過型光強度計測装置、水中カメラを用いて撮影した写真の画像解析等が挙げられる。
【００４７】
次に、残留凝集剤主成分濃度測定装置１２及びフロック計測器１５を用いた、浄水場３０における汚濁物質処理方法を説明する。
【００４８】
前記のように、分級手段１１においてフロックが除去（分離）された処理水は残留凝集剤主成分濃度測定装置１２に供給される。残留凝集剤主成分濃度測定装置１２では、当該処理水中の残留凝集剤主成分濃度（浄水場３０においてはアルミニウムイオン濃度）Ａｌが測定される。そして、測定された残留凝集剤主成分濃度Ａｌは、電気信号線を介して演算器１６に送信される。
【００４９】
一方、フロックを含む処理水は前記のようにフロック計測器１５にも供給される。そして、フロック計測器１５において、処理水中のフロックの粒径（フロック粒径）が測定され、フロック粒径分布が測定される。そして、フロック計測器１５は、測定されたフロック粒径分布に基づいてフロックの平均粒径Ｅを算出する。そして、平均粒径Ｅは、電気信号線を介して演算器１６に送信される。
【００５０】
演算器１６には、前記のように残留凝集剤主成分濃度測定装置１２からの残留凝集剤主成分濃度Ａｌと、フロック計測器１５からフロックの平均粒径Ｅとが送信される。そして、演算器１６は、受信した残留凝集剤主成分濃度Ａｌから残留凝集剤主成分量ＡｌＱを算出する。即ち、残留凝集剤主成分量ＡｌＱは、フロック形成に使用された凝集剤の絶対的な量である。
【００５１】
そして、演算器１６は、算出した残留凝集剤主成分量ＡｌＱと、受信したフロック平均粒径Ｅと、を下記式（１）に代入し、フロック密度ＤＡを算出する。
【００５２】
【数１】
2012223690.tif 000003
【００５３】
前記のようにして算出されたフロック密度ＤＡは、演算器１７に送信される。そして、フロック密度ＤＡを受信した演算器１７は、送信されたフロック密度と予め設定された所定フロック密度ＲＢとの偏差（即ち、所定フロック密度ＲＢからの差分）ΔＡｌを下記式（２）に基づいて算出する。なお、演算器１７には、所定フロック密度ＲＢが予め記憶されていてもよく、例えば操作ボタン等によりユーザが任意のタイミングで変更可能になっていてもよい。
【００５４】
【数２】
2012223690.tif 000004
式（２）中、ｂは正の定数であり、浄水場３０の試験運転等を行うことにより決定される値である。
【００５５】
前記式（２）により算出されるΔＡｌについて、フロック密度ＤＡが所定フロック密度ＲＢよりも大きい場合には負の偏差となる（即ち、ΔＡｌが負の値となる）。この場合、フロックの沈降特性が良いため、凝集剤３の添加率を減少させる制御を行う。一方、フロック密度ＤＡが所定フロック密度ＲＢよりも小さい場合には正の偏差となる（即ち、ΔＡｌが正の値となる）。この場合、フロックの沈降特性が良くないため、凝集剤３の添加率を増加させる制御を行う。具体的な制御方法は後記する。そして、以上のようにして決定されたΔＡｌは、演算器１８に送信される。
【００５６】
一方で、ポンプ２１は原水を水質計２０に供給する。そして、水質計２０が、原水の濁度Ｔｕ、アルカリ度ＡＬ、ｐＨ、有機物濃度等を測定する。なお、有機物濃度の測定は、波長２６０ｎｍの光の吸収を測定する紫外線吸光光度計等を用いて行われる。そして、水質計２０により測定された濁度Ｔｕ及びアルカリ度ＡＬは、演算器１９に送信される。なお、測定されたｐＨ及び有機物濃度は、液晶モニタ等に表示されて確認可能になっている。
【００５７】
演算器１９は、水質計２０から送信された濁度Ｔｕ及びアルカリ度ＡＬを下記式（３）に代入し、基本凝集剤添加率Ｐを算出する。
【００５８】
【数３】
2012223690.tif 000005
式（３）中、ｃ、ｄ、ｅ及びｆは定数であり、浄水場３０の試験運転等を行うことにより決定される値である。
【００５９】
そして、以上のようにして算出された基本凝集剤添加率Ｐは、演算器１８に送信される。
【００６０】
前記のように、演算器１８には、偏差ΔＡｌと基本凝集剤添加率Ｐとが送信される。そして、演算器１８は、受信した偏差ΔＡｌと基本凝集剤添加率Ｐとに基づいて、凝集剤添加率ＰＡが算出される。具体的には、下記式（４）に基づいて凝集剤添加率ＰＡが算出される。
【数４】
2012223690.tif 000006
【００６１】
前記式（４）に基づいて算出された凝集剤添加率ＰＡは、演算器２２に送信される。一方で、演算器２２には、流量計２３からの原水の流量Ｑが送信される。従って、演算器２２は、受信した流量Ｑに対して凝集剤添加率ＰＡを乗じることにより、凝集剤添加量ＰＡＱが算出される。
【００６２】
そして、演算器２２は、凝集剤貯蔵タンク２４に備えられているポンプ（図示しない）に対して、算出された凝集剤添加量ＰＡＱ分の凝集剤３を原水に対して供給するように制御する。このようにして、フロック密度ＤＡと予め設定された所定フロック密度ＲＢとの大小関係に応じて、原水への凝集剤の添加率を制御することができる。
【００６３】
〔第１実施形態に係る汚濁物質処理方法が成立する理由と背景〕
浄水場における汚濁物質除去において、原水中の汚濁物質を全て凝集させてフロックとして除去することが理想的である。しかしながら、このようなことは、設備やコストの観点から通常は困難である。従って、原水中の汚濁物質を可能な限り除去し、除去できなかった汚濁物質を除去可能にできる程度の量までさらに凝集剤を添加することが好ましい。
【００６４】
そのため、滞留時間が長いプロセスを経る浄水場では、早期にフロックの凝集状態を把握し、その結果に基づいて凝集剤添加率を補正し、処理水の濁度を適切な値に維持することが極めて重要である。
【００６５】
このような場合に、凝集状態の良否の早期検出法として凝集剤添加後の処理水中の凝集剤主成分濃度を測定すれば、濃度の大小によって添加した凝集剤が有効に作用しているか否かを判定することができると考えられる。さらに、このような測定を行うことにより、凝集剤の添加率が適正か否かの判定指標とすることもできると考えられる。
【００６６】
つまり、例えば凝集剤としてアルミニウム系凝集剤（ＰＡＣ等）を使用した場合、凝集剤添加後の処理水中の残留アルミニウム濃度を測定して、濃度が低ければ添加した凝集剤が有効に作用していると考えることができる。従って、沈降性の良いフロックが形成され、汚濁物質をより多く除去することができると判定することができると考えられる。
【００６７】
しかし、従来は、凝集剤添加率と残留アルミニウム濃度（残留凝集剤主成分濃度）との関係が不明であるとともに、残留アルミニウム濃度と処理水濁度との関係が不明で、フロック形成池６及び沈殿池８における処理水の処理状況は考慮できなかった。そのため、凝集剤添加率の補正指標として処理水中の残留アルミニウム濃度の大小を凝集剤添加率の補正演算に反映させることが困難であった。
【００６８】
そのため別の方法も考えられた。例えば、凝集状態の良否の検出法として、凝集剤添加後の処理水中で形成されたフロック粒径分布を測定し、添加した凝集剤が有効に作用しているか否かを判定指標とすることができると考えられる。さらに、このような測定を行うことにより、凝集剤の添加率が適正か否かの判定指標とすることもできると考えられる。
【００６９】
しかしながら、従来は、好ましいフロック（即ち、前記した好適な形態のフロック）の指標となるフロック密度とフロック径の大小との関係が不明であり、フロック沈降特性の指標とすることが困難であった。
【００７０】
これらの点に鑑みて、本発明者らが検討したところ、フロックを含む処理水と当該処理水の濁度とは相関があることがわかった。そこで、フロックを含む処理水に関する幾つかのデータに基づいて凝集剤３の添加率を決定することにより、より確実かつ適切に添加率を制御できることがわかった。
【００７１】
具体的には、本発明者らは、凝集剤添加率に対する残留凝集剤主成分濃度とフロック粒径に基づき算出されるフロック密度との関係について検討した。また、本発明者らは、凝集剤の過剰又は過少添加時における評価指標として、凝集剤添加率に対する処理水濁度と処理水中の凝集剤主成分残留率との関係について検討した。そしてこれらの検討の結果、本発明者らが得たグラフを図２に示す。
【００７２】
図２は、凝集剤の添加率と残留凝集剤主成分濃度との関係を示している。実線はフロックを含有する処理水中の残留凝集剤主成分濃度のグラフ（フロック除去前）、一点鎖線はフロックを除去した後（マイクロフロックは含まれている）の処理水中の残留凝集剤主成分濃度のグラフ（フロック除去後）である。
【００７３】
なお、図２中の残留凝集剤主成分濃度は、処理水に溶解している凝集剤主成分濃度（浄水場３０においては溶解性アルミニウム）と、処理水に溶解していないフロックの凝集剤主成分濃度とを合算して得た値である。また、「マイクロフロック含有状態」とは、フロックが除去され、マイクロフロックが残存している状態をいう。
【００７４】
図２のグラフ１０１に示すように、フロック除去前の処理水中の残留凝集剤主成分濃度は、凝集剤添加率の増加に比例して高くなる。これに対して、グラフ１０２に示すように、フロックを除去すると処理水に溶解している凝集剤が主体となって、凝集剤添加率の増減に関係なく一定となり、凝集剤添加率の変化が反映されないことがわかる。換言すれば、凝集剤を大量に添加しても、フロック除去後の処理水中の凝集剤主成分濃度は略一定であることがわかる。
【００７５】
即ち、図２に示すようにフロック除去後の残留凝集剤主成分濃度は略一定であるため、式（１）に示すようにフロック密度はフロック粒径により決定される。また、フロック粒径と沈降特性とは通常は正の相関がある。従って、凝集剤添加後の処理水中の残留凝集剤主成分濃度を測定して、測定結果に基づいて凝集状態の良否の判定することが極めて重要である。また、凝集剤添加率の補正を行うためには、マイクロフロック含有状態の処理水（即ち、フロックのみが除去された処理水）を測定対象として、残留凝集剤主成分濃度を測定することが極めて重要である。
【００７６】
前記のように、浄水場３０においては、残留凝集剤主成分濃度とフロック粒径分布とに基づいて、フロック沈降特性の指標となるフロック密度が算出される。また、フロック密度は、その粒径を考慮しない場合は定性的に、残留凝集剤主成分濃度が高いとフロック密度が小さく、残留凝集剤主成分濃度が低いとフロック密度が大きくなる傾向にある。さらに、フロック粒径が大きいと沈降しやすく、小さいと沈降しにくい傾向にあるので、密度が小さいフロックは沈降特性が良くなく、逆に密度が大きいフロックは沈降特性が良いと考えられる。
【００７７】
特に、粒径が小さくても密度が大きいフロックは、沈降特性は良好であると考えられる。一方で、粒径が大きくても密度が小さいフロックは、沈降特性は良くないものと考えられる。つまり、フロック密度とフロック形成状態とは、残留凝集剤主成分濃度と同様に、高い相関性を有すると考えられる。
【００７８】
次に、本発明者らの検討によって得られた図３を参照しながら、フロック密度と処理水濁度との関係を説明する。図３に示すように、設定値に対してフロック密度が小さいフロックは前記のように沈降特性が良くないため、凝集剤添加率を増加させる制御を行う。これにより、より多くの凝集剤がフロック形成に関与するため、より多くの汚濁物質を凝集させることができる。従って、処理水濁度が適正値に維持されることになる。
【００７９】
一方、適正値に対してフロック密度が大きいフロックは前記のように沈降特性が良いため、凝集剤添加率を減少させる制御を行う。これにより、少量の凝集剤であっても良好なフロックを形成させることができ、十分量の汚濁物質を凝集させることができる。そのため、凝集剤の添加率を減少させても、処理水濁度を適正値に維持することができる。
【００８０】
以上のように、浄水場３０においては、フロック密度が所定フロック密度よりも大きい場合には、凝集剤３の添加率を減少させ、フロック密度が所定フロック密度よりも小さい場合には、凝集剤３の添加率を増加させる制御を行っている。
【００８１】
〔第１実施形態に係る汚濁物質処理方法により奏される効果〕
浄水場３０においては、形成されたフロックの密度（フロック密度）に応じて凝集剤添加率を補正している。この補正により、フロック密度と所定のフロック密度との偏差に応じて、凝集剤添加率が過少又は過剰であるかを判定し、凝集剤添加率を適正値に維持することが可能となる。その結果、良好な汚濁物質の凝集沈殿効果が奏される。
【００８２】
このような補正制御において、例えば残留凝集剤主成分濃度のみを測定して、この測定値と設定目標値との偏差に応じて補正制御をすると、残留凝集剤主成分濃度の測定値は測定誤差の影響で、図２に示すように略一定でありながらも少なからず変動する。そのため、測定値と設定目標値とを直接対比して算出される偏差も一緒になって変動し、偏差の大小のみならず、偏差の正負が反転することがある。その結果、凝集剤添加率の補正制御の精度が低下することがある。
【００８３】
また、例えばフロック粒径のみを測定して、この測定値に応じて補正制御をすると、残留凝集剤の処理状況が考慮されない。そのため、やはり、偏差の大小のみならず、偏差の正負が反転することがある。その結果、凝集剤添加率の補正制御の精度が低下することがある。
【００８４】
しかしながら、浄水場３０のように、残留凝集剤主成分濃度とフロック粒径に基づくフロック密度とを制御指標とすると、残留凝集剤主成分濃度の測定値が変動しても、この変動による影響は極めて小さい。そのため、設定目標値と対比して算出される偏差が残留率変動によって反転することがない。また、フロック形成池６及び沈殿池８の処理状況を予め考慮して補正しているため、それらの処理状況が偏差に対して想定外の影響を与えることがない。そのため、従来よりも精度良く、凝集剤添加率の補正制御が可能となる。
【００８５】
また、浄水場３０では、凝集剤添加後の処理水中のフロック密度を算出し、フロック密度に応じて図３に示すような制御を行っている。そのため、凝集剤３の過剰添加の抑制や、処理水濁度の維持を図るために必要な凝集剤３の量を最低限確実に確保することができる。そのため、浄水場３０に拠れば、処理水濁度を適正値で維持でき、しかも過剰な凝集剤添加を抑制することができ、これに伴う凝集剤添加量及び発生汚泥量の低減が可能となる。
【００８６】
［２．第２実施形態に係る汚濁物質処理方法］
次に、図４に示す浄水場３１を具体例に挙げて、第２実施形態に係る汚濁物質処理方法を説明する。なお、図４において図１と同じ設備については同じ符号を付して示すものとし、その詳細な説明を省略する。
【００８７】
〔浄水場３１の概略構成〕
図３に示す浄水場３１においては、図１に示す浄水場３０とは異なり、残留凝集剤主成分濃度の測定を、急速混和池２とフロック形成池６との間で採水して行っている。これに伴って、所定の演算を行う演算器１３，１４が、残留凝集剤主成分濃度測定装置１２と演算器１８との間に、電気信号線を介して設けられている。
【００８８】
即ち、浄水場３１においては、フロック粒径の測定はフロック形成池６と沈殿池８との間で際水して行う点は浄水場３０と同様であるが、残留凝集剤主成分濃度の測定に必要な採水区間が浄水場３０の区間とは異なっている。従って、主にこの点に関して説明する。
【００８９】
はじめに、演算器１３，１４について説明する。
演算器１３は、演算器１４に送信する凝集剤主成分残留率ＲＡ１（後記する。）を算出するものである。演算器１３は、電気信号線を介して残留凝集剤濃度測定装置１２と演算器１４とに相互に接続されている。
【００９０】
また、演算器１４は、演算器１８に送信する凝集剤主成分残留率の偏差ΔＡｌ２（後記する。）を算出するものである。演算器１４は、電気信号線によって、演算器１３と演算器１８とに相互に接続されている。
【００９１】
〔浄水場３１における添加率制御方法〕
基本的には浄水場３０と同様に制御されるため、浄水場３０の制御方法とは異なる点について主に説明する。
【００９２】
残留凝集剤主成分濃度測定装置１２によって測定された処理水中の残留凝集剤主成分濃度Ａｌは、演算器１３及び演算器１６に送信される。演算器１６，１７においては前記の算出が行われるため、その説明を省略する。
【００９３】
演算器１３は、受信した残留凝集剤主成分濃度Ａｌと、演算器２２において算出され、現時点で添加されている凝集剤の添加率ＰＡと、を下記式（５）に代入することにより、凝集剤主成分残留率ＲＡ１を算出する。そして、算出された凝集剤主成分残留率ＲＡｌは、演算器１４に送信される。
【００９４】
【数５】
2012223690.tif 000007
【００９５】
演算器１４は、受信した凝集剤主成分残留率ＲＡ１と、ユーザによって入力された所定凝集剤主成分残留率ＲＡと、の偏差ΔＡｌ２を、下記式（６）に基づいて算出する。なお、ＲＡは、ユーザが例えばボタン等の操作によって任意のタイミングで適宜設定してもよく、予め演算器１４に記憶されているようにしてもよい。
【００９６】
【数６】
2012223690.tif 000008
【００９７】
式（６）に示すように、凝集剤主成分残留率ＲＡｌが所定凝集剤主成分残留率ＲＡよりも小さい場合は、ΔＡｌ２の値は負となる。一方で、凝集剤主成分残留率ＲＡ２が所定凝集剤主成分残留率ＲＡよりも大きい場合は、ΔＡｌ２の値は正となる。そして、このようにして算出されたΔＡｌ２は演算器１８に送信される。その後、演算器１８は、受信したΔＡｌ２を前記のΔＡｌと同様に扱い、浄水場３０において説明した制御方法と同様にして、凝集剤３の添加率を制御することになる。
【００９８】
〔第２実施形態に係る汚濁物質処理方法が成立する理由と背景〕
処理水中の凝集剤主成分残留率は、凝集剤添加率を増加させるに従い処理水濁度と同様に低下する。これは、凝集剤をより多く添加することにより、より密度の大きなフロックが形成し易くなるためである。即ち、より密度の大きなフロックが形成されると当該フロックに取り込まれる凝集剤は増加するため、処理水中に残留する凝集剤主成分濃度は低下することになる。そのため、凝集剤の添加率を増加させることで残留凝集剤主成分濃度は低下するため、添加率の増加にも関わらず凝集剤主成分残留率が低下することになる。
【００９９】
このように、凝集剤添加率は凝集剤主成分残留率に影響を与える。即ち、凝集剤添加率の制御に関与する処理水濁度の高低と凝集剤主成分残留率の高低とは、相関性を有することになる。
【０１００】
例えば図５に示すように、凝集剤の添加率が１ｍｇ／Ｌ（溶解性アルミニウム量）の時の処理水濁度を維持するように、凝集剤主成分残留率を設定する（所定凝集剤主成分残留率の設定）。そして、設定値よりも凝集剤主成分残留率が高い場合は、凝集剤添加率を増加させて処理水濁度を適正値に維持する（凝集剤添加率増加制御）。
【０１０１】
これは、凝集剤によって形成したフロックが、分離できるほどの大きさではないマイクロフロックの状態であるためである。つまり、前記のように、凝集剤主成分残留率ＲＡ１はフロック除去後の処理水に基づいて算出されるため、凝集剤主成分残留率ＲＡ１が大きいことは、フロック除去後の処理水にはマイクロフロックが多く含まれることを意味する。
【０１０２】
そこで、原水に対してさらに凝集剤を添加させて当該マイクロフロックをさらに成長させることにより、当該マイクロフロックを分離可能なフロックの状態にすることができる。これにより、濁度の原因である汚濁物質をフロックに取り込んで除去することが可能となり、処理水濁度が過剰に増加することなく適正値に維持される。
【０１０３】
一方、設定した目標値よりも凝集剤主成分残留率が低い場合は、凝集剤添加率を減少させて処理水濁度を適正値に維持する（凝集剤添加率減少制御）。これは、原水に添加した凝集剤がフロック形成に十分な量であることを示しているため、それ以上の凝集剤を要しないことに基づくものである。そのため、このようにすれば、余剰の凝集剤の消費を抑制することができる。
【０１０４】
以上のように、浄水場３１においては図５に示すような、前記凝集剤主成分残留率が所定凝集剤主成分残留率よりも大きい場合には前記凝集剤添加率を増加させる制御を行っている。一方で、凝集剤主成分残留率が所定凝集剤主成分残留率よりも小さい場合には、凝集剤の添加率を減少させる制御が行われている。
【０１０５】
〔第２実施形態に係る汚濁物質処理方法により奏される効果〕
浄水場３０における補正では、前記のように残留凝集剤主成分濃度とフロック密度とに基づいて凝集剤添加率を制御している。そして、浄水場３１における補正では、これらの要素を用いて算出した凝集剤主成分残留率により、凝集剤添加率の補正を行っている。このように複数の要素に基づいて凝集剤添加率の増減を制御することにより、より確実に良好な凝集沈降が得られる。
【０１０６】
浄水場３１のように、凝集剤主成分残留率を制御指標とすると、残留凝集剤主成分濃度の測定値が変動しても、この変動による影響は極めて小さく設定目標値と対比して算出される偏差が残留率変動によって反転することがない。また、フロック形成池６や沈殿池８の処理状況を考慮しているため、それらの処理状況との偏差に影響を受けることもない。そのため、精度良く凝集剤添加率の補正制御が可能となり、処理水濁度との相関性を高めることが可能となる。そのため、より確実かつ正確に、凝集剤の添加率を制御することが可能となる。
【０１０７】
また、浄水場３１においては、フロック形成池６の上流側と下流側とで別々に採水しているため、フロック形成池６でのフロックの形成状態を考慮した制御を行うことができる。そのため、補正を行うタイミングがより正確なものとなる。従って、浄水場３１においては、原水の濁度に応じて、より適切に凝集剤の添加率を制御することができる。
【０１０８】
［３．変更例］
以上、２つの実施形態を挙げて本実施形態を具体的に説明したが、本実施形態はその要旨を変更しない範囲内で任意に変更して実施可能である。
【０１０９】
例えば、図１に示す浄水場３０においては、分級装置１１及びフロック計測器１５への採水はフロック形成池６と沈殿池８との間の配管から行っている。しかし、当該採水は処理水に対して行える限りどこで行ってもよく、例えば急速混和池２とフロック形成池６との間、沈殿池８との濾過装置９との間等の配管から行うことができる。そして、それぞれの場所において採水して試験運転をし、それぞれの場所に応じたパラメータ（前記したａ，ｂ，ｃ，ｄ，ｅ及びｆ等）を決定すればよい。
【０１１０】
また、例えば図４に示す浄水場３１においては、分級手段１１への採水はフロック形成池６の上流で行われている。しかし、当該際水は処理水に対して行える限りどこで行ってもよく、例えばフロック形成池６と沈殿池８との間、沈殿池８と濾過装置９との間等の配管から行うことができる。そして、それぞれの場所において採水して試験運転をし、それぞれの場所に応じたパラメータ（前記したａ，ｂ，ｃ，ｄ，ｅ及びｆ等）を決定すればよい。
【符号の説明】
【０１１１】
１  着水井
２  急速混和池
３  凝集剤
４  アルカリ剤
５  アルカリ剤貯蔵タンク
６  フロック形成池
７  フロッキュレータ
８  沈殿池
９  濾過装置
１０，２１  ポンプ
１１  分級手段
１２  残留凝集剤主成分濃度測定装置
１３，１４，１６，１７，１８，１９，２２  演算器
１５  フロック計測器
２０  水質計
２３  流量計
２４  凝集剤貯蔵タンク
３０，３１  浄水場
Ｍ  モータ
【図１】
2012223690.tif 000009
【図２】
2012223690.tif 000010
【図３】
2012223690.tif 000011
【図４】
2012223690.tif 000012
【図５】
2012223690.tif 000013